(57)【要約】   【課題】  キャミソールやブラジャー等の上半身用下着やショーツ等の下半身用下着を同時に一つのハンガーに装着することができ、且つ、着脱の際にこれら下着を破損することのない美感に優れたハンガーを提供すること。    【解決手段】  キャミソール等の上半身用下着係止部１１とブラジャー用の下着係止部１２とショーツ等の下半身用下着係止部１３の三個所の下着係止部を備え三種類の下着を係止することができることを特徴とするハンガー１。【選択図】  図１
0003126127.tif 000002
【実用新案登録請求の範囲】
【請求項１】
キャミソール等の上半身用下着係止部とブラジャー用の下着係止部とショーツ等の下半身用下着係止部の三個所の下着係止部を備え三種類の下着を係止することができることを特徴とするハンガー。
【請求項２】
左右に張り出す肩部にはキャミソール等の上半身用下着の肩ひもを係止する上半身用下着係止部を形成し、前記左右に張り出した肩部下方からハンガー内方へ折り返し湾曲した湾曲部にはショーツ等の下半身用下着の穿き口の内方を係止する下半身用下着係止部を突出形成し、さらに前記湾曲部に連接しハンガー内方に向かって突出し間隔を置いて対向する両端部にはブラジャーの肩ひもを係止するブラジャー用の下着係止部を形成したことを特徴とする請求項１記載のハンガー。
【請求項３】
肩部に形成したキャミソール等の上半身用下着係止部は、肩ひもを係止する凹部からなることを特徴とする請求項１また２記載のハンガー。
【請求項４】
一本の線材を折り曲げ成形してなることを特徴とする請求項１乃至３記載のハンガー。
【考案の詳細な説明】
【技術分野】
【０００１】
本発明は、主として下着を支持するハンガーに関し、特にキャミソールやブラジャー等の上半身用下着やショーツ、ガードル等の下半身用下着等の種々の下着類を同時に一つのハンガーに装着することができ、且つ、着脱の際にこれら下着を破損することのないハンガーに関する。
【背景技術】
【０００２】
百貨店等の店頭において種々の下着を吊り下げて展示販売するための下着用ハンガーは、例えばプラスチック製の薄板からなり、二等辺三角形状に形成されブラジャーを支持するハンガー本体及びハンガー本体の肩部に形成された肩ひもずり落ち防止用の係止爪と、三角形状の頂部から上方へ突出するフックと、ハンガー本体の底部に取り付けられたショーツ挟持用の二つのクリップとで形成されているものが一般的である。
【０００３】
そして、このハンガーに下着類を装着するためには、ブラジャーの肩ひもを係止爪に引っ掛けてハンガー本体に係止し、ショーツの穿き口を二つのクリップで挟んで吊り下げ挟持する。ところが、このハンガーにショーツを装着するとき、上述のようにショーツの穿き口をクリップで挟むようにするため、着脱時にショーツの穿き口に付けられている装飾用のレース等が破損してしまっていた。また、ブラジャーにあっても肩ひもを係止爪に引っ掛けて係止するため何度も着脱を繰り返すうちに係止爪との摩擦により生地が傷んでしまった。したがって、下着の商品価値が低下するという問題点があった。
【０００４】
さらには、従来のハンガーはブラジャーとショーツといった上半身用下着と下半身用下着を二着を支持することはできても、キャミソール、ブラジャー、ショーツといった女性用下着三点セットを同時に支持することはできなかった。
【０００５】
また、ハンガーの製造工程において、ハンガー本体とクリップとを別個に製造しこれらを組合わせる手間がかかり、また、ハンガーを例えばダンボール箱等に収納する際にもクリップ部分に厚みがあるためにかさばる、クリップ同士が絡まる等の問題があった。さらにはハンガー本体とクリップとの組合せからなるハンガー全体の美感に優れているとはいえなかった。
【特許文献１】特開平１０−３３７２４３号公報
【特許文献２】特開２００５−２０４６８２号公報
【考案の開示】
【考案が解決しようとする課題】
【０００６】
上記問題点を解決すべく、本考案の第一の目的は、キャミソール、ブラジャー、ショーツといった種々の下着を複数点同時に装着できるハンガーを提供することである。
【０００７】
本考案の第二の目的は、ショーツやガードル等の下半身用下着を着脱したときにショーツ等の穿き口に取り付けられた装飾用のレースや生地が痛んだり破損することがなく、また、ブラジャーやキャミソール等の上半身用下着を着脱したときにも肩ひも等の生地が傷むことのないハンガーを提供することである。
【０００８】
本考案の第三の目的は、製造が簡単で、ハンガーの収納がしやすく、この種のハンガーにとって重要な美感性にも優れたハンガーを提供することである。
【課題を解決するための手段】
【０００９】
上記目的を達成するため本願ハンガーは、キャミソール等の上半身用下着係止部とブラジャー用の下着係止部とショーツ等の下半身用下着係止部の三個所の下着係止部を備え三種類の下着を係止することができることを特徴とする。
【００１０】
また、左右に張り出す肩部にはキャミソール等の上半身用下着の肩ひもを係止する上半身用下着係止部を形成し、前記左右に張り出した肩部下方からハンガー内方へ折り返し湾曲した湾曲部にはショーツ等の下半身用下着の穿き口の内方を係止する下半身用下着係止部を突出形成し、さらに前記湾曲部に連接しハンガー内方に向かって突出し間隔を置いて対向する両端部にはブラジャーの肩ひもを係止するブラジャー用の下着係止部を形成したことを特徴とする。
【００１１】
また、肩部に形成したキャミソール等の上半身用下着係止部は、肩ひもを係止する凹部からなることを特徴とする。
【００１２】
また、一本の線材を折り曲げ成形してなることを特徴とする。
【考案の効果】
【００１３】
本願ハンガーは、キャミソール等の上半身用下着係止部とブラジャー用の下着係止部とショーツ等の下半身用下着係止部の三個所の下着係止部を備えることにより、キャミソール、ブラジャー、ショーツ等の複数種類の下着を同時に一つのハンガーに装着することができ、キャミソール、ブラジャー、ショーツの女性用下着三点セットを同時に一つのハンガーに装着して展示販売できるため、百貨店等に下着売り場において狭いスペースに複数種類の下着をセットで展示し販売することができる。
【００１４】
また、左右に張り出す肩部にはキャミソール等の上半身用下着の肩ひもを係止する上半身用下着係止部を形成し、前記左右に張り出した肩部下方からハンガー内方へ折り返し湾曲した湾曲部にはショーツ等の下半身用下着の穿き口の内方を係止する下半身用下着係止部を突出形成し、さらに前記湾曲部に連接しハンガー内方に向かって突出し間隔を置いて対向する両端部にはブラジャーの肩ひもを係止するブラジャー用の下着係止部を形成したことで、上記キャミソール、ブラジャー、ショーツ等の複数種類の下着を同時に一つのハンガーに装着することができるという効果に加え、ショーツ等の穿き口を従来のようにクリップで挟持することなくショーツ等の内方を係止することができるので、ショーツやガードル等のハンガーへの着脱時にショーツ等の穿き口に取り付けられた装飾用のレースや生地が痛んだり破損することがなく、下着の商品価値が低下することはない。
【００１５】
また、肩部に形成したキャミソール等の上半身用下着係止部は、肩ひもを係止する凹部からなることにより、ハンガーへの着脱時にブラジャーやキャミソール等の肩ひもの生地が傷むことがなく、下着の商品価値が低下することはない。
【００１６】
また、ハンガーを一本の線材を折り曲げ成形したことにより、製造が簡単である。また、別個に係止用の部品を設ける必要がないこととあいまって、ハンガーの厚みを一定の薄さに形成することができるため複数のハンガーを重ねて収納することが容易である。また、ハンガーを軽量に形成できるため持ち運びに便利である。さらには、ハンガー自体を一つの材料で形成できるため美感に優れたハンガーを提供することができる。
【考案を実施するための最良の形態】
【００１７】
図１に示すのは、本願考案の実施の形態にかかるハンガー１であり、図２に示すのは、図１に示すハンガー１にキャミソール２を装着した状態、図３に示すのは、ブラジャー３を装着した状態、図４はショーツ４を装着した状態、図５に示すのはキャミソール２、ブラジャー３、ショーツ４の女性用下着三点を装着した状態である。
【００１８】
図１に示すハンガー１は、キャミソール等の上半身用下着係止部１１とブラジャー用の上半身用下着係止部１２とショーツ等の下半身用下着係止部１３の三個所の係止部をそれぞれ対象に一対ずつ備えてなり、三種類の下着を係止することができるようになっている。ハンガー１は、首部１４から上方へ突出しハンガー１を不図示のポール等に支持するためのフック１５と首部１４から左右に張り出す肩部１６A、１６Bからなり、肩部１６A、１６Bにはそれぞれ、図２に示すキャミソール２の二本の肩ひも２１を係止する二つのキャミソール等の上半身用下着係止部１１A、１１Bが設けられている。
【００１９】
本実施の形態においてキャミソール等の上半身用下着係止部１１A、１１Bは、肩部１６A、１６Bのおよそ中間部分において下方向に向かって湾曲する凹部からなり、この凹部にキャミソール２の肩ひも２１を係止することによりハンガー１に装着するようになっている。
【００２０】
また、肩部１６A、１６Bの下方からハンガー内方へ折り返し湾曲した湾曲部には図４に示すショーツ４の穿き口４１内方を係止するショーツ等の下半身用下着係止部１３A、１３Bが設けられている。ショーツ等の下半身用下着係止部１３A、１３Bは、突出部１７A、１７Bと突出部１７Ａ、１７Ｂにより形成されるスリット部１８A、１８Bからなり、ショーツ４の穿き口４１の内方を突出部１７A、１７Bに係止することで、伸縮性のあるショーツ穿き口４１がスリット部１８Ａ，１８Ｂに嵌合して係止され、ショーツ４をハンガー１に装着するようになっている。尚、本実施の形態においてはショーツ等をよりしっかり係止するためにスリット部１８Ａ、１８Ｂが形成されているが突出部１７Ａ、１７Ｂのみであってもショーツ等を充分に係止可能である。
【００２１】
さらに、ショーツ等の下半身用の下着係止部１３A、１３Bの形成された湾曲部に連接しハンガー内方に向かって突出し間隔を置いて対向する線材の両端部にはブラジャー用の下着係止部１２A、１２Bが形成されている。本実施の形態においてブラジャー用の下着係止部１２Ａ、１２Ｂは環状に形成されてなり、図３のように環部１９の内方にブラジャー３の肩ひも３１を挿入して係止する、または、環部１９を滑り止めストッパーとして用い環部１９外方にブラジャー３の肩ひも３１を結びつける、あるいは引っ掛ける等して係止することによりハンガー１に装着するようになっている。尚、ブラジャー用の下着係止部１２Ａ、１２Ｂの形状は環状に限られるものではなく、例えば鉤状に形成したものであってもよくブラジャーの肩ひもを係止できる形状であればよい。
【００２２】
尚、本実施の形態にかかるハンガー１は製作工程の簡易性および軽量性、美感性の観点から針金等の金属体を折り曲げて形成したものであるが、プラスチック等の合成樹脂材を成形してもよいし、木製であってもよく、ハンガー１を形成する材料は特に限定されるものではない。
【００２３】
ハンガー１には図２に示すように、キャミソール２の二本の肩ひも２１をそれぞれキャミソール等の上半身用下着係止部１１Ａ、１１Ｂの凹部に引っ掛け係止してハンガー１に装着する。尚、キャミソール等の上半身用下着係止部１１Ａ、１１Ｂに係止する下着はキャミソール２の他、タンクトップ、スリップドレス等の肩ひもを有する上半身用下着であればよい。
【００２４】
ハンガー１には図３に示すように、ブラジャー３の二本の肩ひも３１をそれぞれブラジャー用下着係止部１２Ａ、１２Ｂの環部１９Ａ、１９Ｂに挿入して係止し、ハンガー１に装着する。尚、上述のように肩ひも３１は環部１９Ａ、１９Ｂに挿入係止してもよいし、結びつけてもよいし、引っ掛け係止してもよい。
【００２５】
ハンガー１には図４に示すように、ショーツ４の穿き口４１内方をショーツ等の下半身用下着係止部１３Ａ、１３Ｂの突出部１７Ａ、１７Ｂに引っ掛け係止してハンガー１に装着する。尚、ショーツ等の下半身用下着係止部１３Ａ、１３Ｂに係止する下着はショーツ４の他、ガードル、ペチコート等穿き口を有する他の下半身用下着であってもよい。
【００２６】
ハンガー１には図５に示すように、キャミソール２をキャミソール等の上半身用下着係止部１１Ａ、１１Ｂに、ブラジャー３をブラジャー用の下着係止部１２Ａ、１２Ｂに、ショーツ４をショーツ等の下半身用下着１３Ａ、１３Ｂにそれぞれ係止して女性用下着三点セットを同時に装着することもできる。
【図面の簡単な説明】
【００２７】
【図１】本願考案の実施の形態を示すハンガーの正面図
【図２】図１に示すハンガーにキャミソールを装着した状態の正面図。
【図３】図１に示すハンガーにブラジャーを装着した状態の正面図。
【図４】図１に示すハンガーにショーツを装着した状態の正面図。
【図５】図１に示すハンガーにキャミソール、ブラジャー、ショーツを同時に装着した状態の正面図
【符号の説明】
【００２８】
１    ハンガー
１１  キャミソール等の上半身用下着係止部
１２  ブラジャー用の下着係止部
１３  ショーツ等の下半身用下着係止部
１４  首部
１５  フック
１６  肩部
１７  突出部
１８  スリット部
１９  環部
２    キャミソール
２１  キャミソール肩ひも
３    ブラジャー
３１  ブラジャー肩ひも
４    ショーツ
４１  ショーツ穿き口
【図１】
0003126127.tif 000003
【図２】
0003126127.tif 000004
【図３】
0003126127.tif 000005
【図４】
0003126127.tif 000006
【図５】
0003126127.tif 000007